(57)【要約】      （修正有）【課題】長柄先端に装着される各種作業具に向け、該作業具との距離調節が可能で、且つ該作業具が屈曲する構造を有する場合にも支障を生じることなく、従来より長い動作距離をもつ駆動力を伝達し得る操作ハンドルを提供する。【解決手段】長柄（１）を挿入させ得る筒状部（３ａ）を上部に配置し、該筒状部から下方に伸びたハンドル（３）の下端近くのレバーピン（５）にレバー（７）を枢着し、該レバーをスプリング（６）で前方に付勢する。レバーの上端部には下側挟持片（７ａ）を設け、該下側挟持片には挟持体ピン（８）部で上側挟持片（７ｂ）を枢着し、該上側挟持片の左右上部にローラー（９）を軸着し、該ローラーをハンドル筒状部下側左右に配置されたガイドレール（１０）に当接させる。ガイドレールの大半部分はレバーピンを曲率中心とする円弧状にし、前寄り部分だけを丸型フック形とする。【選択図】図１
0003124363.tif 000002
【実用新案登録請求の範囲】
【請求項１】
長柄を挿通させ得る筒状部を上部に有し、該筒状部から下方へ伸びた握り部の下端近くにはレバーピンがあって、該レバーピンには上方へ伸びるレバーが枢着されており、該レバーの上端部には二個の挟持片から成る挟持体があって、該挟持体の間には線状駆動力伝達部材が挿通され、更に該挟持体の近傍に上記レバーピンを曲率中心とする円弧状のガイドレールを配置した構造を持つ操作ハンドル。
【請求項２】
鋼線を螺旋巻きしたアウターチューブが、多数の細い鋼線を撚って作られたインナーケーブルを外筒状に包んだ構造にあって、且つその片側終端部で該アウターチューブの端末部材が該インナーケーブルの端末部材に当接するか、もしくは接合した構造のケーブルワイヤーを線状駆動力伝達部材として具備した、請求項１の操作ハンドル。
【考案の詳細な説明】
【技術分野】
【０００１】  本考案は果樹園芸、造園、林業、もしくは建築・塗装現場、架線補修工事現場などに於いて高所向け作業具として用いられる、長柄の先端に装着された各種作業具を操作する為の操作ハンドルに関するものである。
【背景技術】
【０００２】  長柄の先端に装着された各種作業具を操作する操作装置として、特に先端部と操作部との距離調節が可能であり、且つ先端部の屈曲をも可能ならしめるものとしては、実用新案登録第３１１６４３０号、第３１１７２１８号などの方式がある。【０００３】  しかし上記考案の構造は剪定鋏など、長柄先端部に伝達する駆動力の動作距離よりも動作力が求められる作業具には適当であっても、高枝鋸（実用新案登録第３１２０６９５号）の把持装置や果実もぎ取り具（実用新案登録第３１１９０４６号）、果実収穫具（実用新案出願番号：実願２００６−１５２２）、薬剤散布器、塗装用スプレーガンなど、動作力よりもやや長めの動作ストロークが求められる作業具に対しては、その動作距離が短い為必ずしも満足するものではなかった。
【考案の開示】
【考案が解決しようとする課題】
【０００４】  斯様な状況に鑑み、比較的長めの動作距離を持つ線状駆動力を長柄先端部の各種作業具に送ることが可能な操作ハンドルを具現する為に本考案がなされた。
【課題を解決させる為の手段】
【構成】
【０００５】  本考案のハンドル（３）は長柄（１）の後端部近くに装着され、該長柄の先端には各種作業に応じた作業具が装着され、両者がケーブルワイヤー（２）で係合される。
【０００６】  長柄（１）は作業に適した長さの直線状のパイプであるが、先端に装着される作業具の構造によっては、該長柄の中間部にケーブルワイヤーを導出する為の引き出し口（１ａ）が明けられている。
【０００７】  ケーブルワイヤー（２）は一般にボーデンケーブルと呼ばれるもので、多数の細い鋼線を撚って作られたインナーケーブル（２ａ）を、鋼線を螺旋状に巻いたアウターチューブ（２ｂ、２ｅ）が被包した構造にあり、比較的柔軟に湾曲させ得る。該ケーブルワイヤーは、長柄先端部の作業具によっては長柄の外部に設けられた適当な支持部材に支持される場合もあるが、多くの場合長柄（１）の先端寄りではパイプ状の長柄の内部に挿通され、長柄中間部に明けられた引き出し口（１ａ）から長柄の外に導出されてハンドル（３）に係合している。更に該アウターチューブは引き出し口付近で二分割されており、前側の固定アウターチューブ（２ｅ）は長柄先端部に装着された作業具の近傍に固定され、後側の可動アウターチューブ（２ｂ）は後端部でインナーケーブルの端末係止部材（２ｃ）に当接している。即ちインナーケーブル（２ａ）は、先端部から引き出し口（１ａ）付近までは固定アウターチューブ（２ｅ）に被包され、引き出し口付近から後端までは可動アウターチューブ（２ｂ）に被包されている。
【０００８】  ハンドル（３）は、上部のハンドル筒状部（３ａ）に長柄が挿入された状態で、長柄後方寄りに装着され、握りボルト（４）によりその動きが規制されている。即ち該ハンドルは握りボルトを緩めれば、引き出し口（１ａ）から長柄後端までの間で、先端部との距離調節並びに長柄を中心軸としての角度調節が可能な構造にある。
【０００９】  ハンドル（３）の下端にはレバーピン（５）があって、これにレバー（７）が枢着されており、更に該レバーの上端部には該レバーと一体をなす直方体の下側挟持片（７ａ）があり、該下側挟持片には挟持体ピン（８）があって、該挟持体ピンに上側挟持片（７ｂ）が枢着されている。即ちレバー上端部は挟持体ピン部で下側挟持片（７ａ）と上側挟持片（７ｂ）とに上下に二分割され、挟持体を構成している。
【００１０】  上側挟持片の左右上方寄りには、ローラー（９）が軸着されており、該ローラーはハンドル筒状部（３ａ）の下側左右に設けられたガイドレール（１０）に当接している。
【００１１】  ガイドレール（１０）の大半部分、即ち後方寄り円弧部（１０ａ）はレバーピン（５）を曲率中心とする円弧をなし、前方部分、即ちフック状部（１０ｂ）だけは丸型フックの形状をなしている。
【００１２】  レバー（７）は、ローラー（９）がガイドレールのフック状部（１０ｂ）によって規制される範囲内で、スプリング（６）により前方に付勢されており、更にこの状態では、該フック状部がローラーを上方へ誘導して上側挟持片（７ｂ）を開かせている。
【００１３】  ケーブルワイヤー（２）は下側挟持片と上側挟持片との間に挿通されているが、レバーが最前方に押された状態、即ちローラー（９）がガイドレールのフック状部（１０ｂ）内にある時は係合関係がなく、自由である。しかしレバーが握られるとローラー（９）がガイドレールの円弧部（１０ａ）の規制を受けて下方へ押される。これに伴って上側挟持片が閉じて両挟持片間を挿通させたケーブルワイヤーの可動アウターチューブ（２ｂ）を狭持して後方へ牽引する。
【００１４】  両挟持片の対向面にはケーブルワイヤー（２）を挟持するに適当な、前後方向の溝が彫られ、更に可動アウターチューブの損耗を抑制し、且つ把握を確実にする加工が施されている。
【００１５】  挟持体間に挿通されたケーブルワイヤー（２）の後端部はハンドルの握り部近くに明けられた貫通孔（３ｂ）から後方に抜け、該後端部では可動アウターチューブの端末スリーブ（２ｄ）がインナーケーブルの端末係止部材（２ｃ）に当接しており、可動アウターチューブの動きが該後端部でインナーケーブル（２ａ）に伝達され、更に長柄先端部に装着された作業具に伝達される構造にある。
【各部品の働きと相互関係】
【００１６】  長柄（１）は各作業目的に応じて、頭上にある対象物へのアプローチを容易にする為のものである。
【００１７】  ケーブルワイヤー（２）は後方のハンドル（３）が操作された時の駆動力を長柄先端部の作業具に伝達する。その際可動アウターチューブ（２ｂ）はレバー（７）の挟持体から受けた駆動力を後端部でインナーケーブル（２ａ）に伝達し、更に該インナーケーブルがその駆動力を先端の作業具に伝達する。固定アウターチューブ（２ｅ）は先端部近くの屈曲部や長柄内部でのインナーケーブル（２ａ）の動きを案内する働きをする。
【００１８】  ハンドル（３）は本考案の各動作部を保持し、各種作業具を操作する駆動力の源となる。該ハンドルのレバー（７）が握られると、ローラー（９）がガイドレール（１０）の規制を受けて下方へ押され、これに伴って上側挟持片（７ｂ）が閉じられ、挟持体間に挿通されたケーブルワイヤーの可動アウターチューブ（２ｂ）を挟持して後方へ牽引する。
【００１９】  レバー（７）の挟持体が挟持して後方へ引くのは可動アウターチューブ（２ｂ）であり、該可動アウターチューブの端末スリーブ（２ｄ）が後端部でインナーケーブルの端末係止部材（２ｃ）に当接して駆動力をインナーケーブルに伝達し、この動きに伴って長柄先端部に装着された作業具が動作する。
【００２０】  レバー（７）が放されると、スプリング（６）の付勢力によってレバーは前方に戻され、これに伴いローラー（９）がガイドレールのフック状部（１０ｂ）に誘導されて上側挟持片が開き、ハンドル（３）とケーブルワイヤー（２）との係合関係が断たれる。
【００２１】  作業具の作動部は、当該作業具に具備されたスプリングの付勢力によって復元される。
【００２２】  ケーブルワイヤー（２）はレバー（７）が握られた時以外は挟持されておらず、握りボルト（４）を緩めるだけで、対象物との距離や作業性に応じてハンドル位置及び姿勢角度の調節が可能である。
【使用方法】
【００２３】  本考案の操作ハンドルが、作業具を具備した長柄の後端近くに装着されているものとする。
【００２４】  作業対象物との距離を調節する必要がある場合は握りボルト（４）を緩めてハンドル位置及び姿勢角度を調節する。
【００２５】  長柄先端部が対象物に届いたらハンドルを把持してレバー（７）を握る。これによりケーブルワイヤーを介して駆動力が先端部に伝達され、当該作業具の作動部が操作される。
【００２６】  目的の動作を終えたらレバーを放す。作業具の作動部は、当該作業具に具備されたスプリングの付勢力によって復元される。
【００２７】  本考案のハンドルを具備した作業具の使用を終えて収納する際必要があれば、ハンドル（３）を最後端部に引き寄せ、貫通孔（３ｂ）をもってケーブルワイヤーの端末スリーブ（２ｄ）を後方へ引き、その位置で握りボルト（４）を締める。これにより作業具の作動部が牽引された状態での収納が可能となる。
【考案の効果】
【００２８】  本考案の操作ハンドルを、長柄に装着された高枝鋸の把持装置や果実捻転収穫器、防除用スプレーノズル、塗装用スプレーガンなどと併用する事により、より長い動作距離が確保されて動作性が改善される。
【使用例】
【００２９】  本考案のハンドルを果実収穫具（実用新案出願番号：実願２００６−１５２２）に用いた使用例を図５に示す。
【考案を実施する為の最良の形態】
【００３０】  本考案では、特に長柄の先端に装着される各種作業具が屈曲構造を持つ場合が多い事を考慮して、線状駆動力伝達部材としては柔軟に湾曲させ得るケーブルワイヤーを用いる事を前提とした。ここで、鋼線を撚って作られたインナーケーブルだけを用いる事も可能ではあるが、操作位置の可動性を確保しながらインナーケーブルを直接挟持しようとしても、その把握力が十分得られるかは疑問であり、仮に把握力を増す対策をすればインナーケーブルが早期に損耗する恐れがあり、操作位置の可動性も損なわれる。この損耗を予防し、且つケーブルワイヤーの把握力を確保する観点から、レバー部の挟持体によるインナーケーブルの直接挟持を避け、一次的線状駆動力伝達媒体として可動アウターチューブを挟持して動かし、二次的にインナーケーブルに伝えるのが良好策と言える。
【図面の簡単な説明】
【００３１】
【図１】は本考案のハンドルを示す側断面図である。
【図２】は本考案のハンドルを示す正面断面図である。
【図３】は本考案のハンドルを斜め前方から見た外観斜視図である。
【図４】は本考案のハンドルに於いてレバーを握った時の状態を示す側断面図である。
【図５】は本考案のハンドルを果実捻転収穫具に用いた状態を示す外観斜視図である。
【符号の説明】
【００３２】  １：長柄、  １ａ：引き出し口、  ２：ケーブルワイヤー、  ２ａ：インナーケーブル、  ２ｂ：可動アウターチューブ、  ２ｃ：端末係止部材、  ２ｄ：端末スリーブ、  ２ｅ：固定アウターチューブ、  ３：ハンドル、  ３ａ：ハンドル筒状部、  ３ｂ：貫通孔、  ４：握りボルト、  ５：レバーピン、  ６：スプリング、  ７：レバー、  ７ａ：下側挟持片、  ７ｂ：上側挟持片、  ８：挟持体ピン、  ９：ローラー、  １０：ガイドレール、  １０ａ：円弧部、  １０ｂ：フック状部、  １１：フレーム、  １２：平行リンク機構、  １３：捻転球、  １４：ホッパーダクト。
【図１】
0003124363.tif 000003
【図２】
0003124363.tif 000004
【図３】
0003124363.tif 000005
【図４】
0003124363.tif 000006
【図５】
0003124363.tif 000007